(57)【特許請求の範囲】
【請求項１】
個人の戸籍情報及び個人の除籍情報を前記個人を識別する情報に対応付けて記録する戸籍データベースと、
入力された個人を識別する情報に対応する戸籍情報又は除籍情報を前記戸籍データベース内で検索し、検索により見つかった戸籍情報又は除籍情報を、選択可能に表示されるように出力する検索手段と、
前記出力された戸籍情報又は除籍情報のうち選択された戸籍情報又は除籍情報を、届書入力画面上に表示されるように出力する入力画面出力手段と、
前記届書入力画面に表示されたデータに基づいて、前記戸籍データベースのデータを更新するデータ更新手段と、
を備え、
前記入力画面出力手段は、前記選択された戸籍情報を編集不可能な状態で表示されるように出力し、前記選択された除籍情報を編集可能な状態で表示されるように出力する、戸籍情報システム。
【請求項２】
前記除籍情報は、除籍情報であることを示す除籍識別記号及び除籍日を含み、
前記検索手段は、前記検索により見つかった除籍情報について、除籍日の順に並び替えて出力する、
請求項１に記載の戸籍情報システム。
【請求項３】
前記検索手段は、前記検索により見つかった除籍情報のうち、死亡に基づく除籍情報を出力しない、請求項１又は２のいずれかに記載の戸籍情報システム。
【請求項４】
前記入力画面出力手段は、前記選択された戸籍情報又は除籍情報を、届書入力画面上に戸籍情報と除籍情報とが識別可能に表示されるように出力する、請求項１乃至３のいずれかに記載の戸籍情報システム。
【請求項５】
前記検索手段は、検索対象として、前記戸籍データベースに含まれる戸籍情報又は除籍情報のうちの一方又は両方の指定を受け付け、前記入力された個人を識別する情報に対応する戸籍情報又は除籍情報を前記指定を受け付けた検索対象内で検索する、請求項１乃至４のいずれかに記載の戸籍情報システム。
【請求項６】
入力された個人を識別する情報に対応する戸籍情報又は除籍情報を、個人の戸籍情報及び個人の除籍情報を前記個人を識別する情報に対応付けて記録する戸籍データベース内で検索し、検索により見つかった戸籍情報又は除籍情報を、選択可能に表示されるように出力するステップと、
前記出力された戸籍情報又は除籍情報のうち選択された戸籍情報又は除籍情報を、届書入力画面上に表示されるように出力するステップと、
前記届書入力画面に表示されたデータに基づいて、前記戸籍データベースのデータを更新するステップと、
を含み、
前記届書入力画面上に表示されるように出力するステップでは、前記選択された戸籍情報を編集不可能な状態で表示されるように出力し、前記選択された除籍情報を編集可能な状態で表示されるように出力する、戸籍情報更新方法。
【発明の詳細な説明】
【技術分野】
【０００１】
本発明は、戸籍データベースのデータを更新するための技術に関する。
【背景技術】
【０００２】
市区町村等の公的機関では、出生、婚姻、離婚、死亡等の申請のように、戸籍情報の作成又は変更を要する申請に用いる各種届書を受理すると、パソコン等の端末を操作して戸籍データベースにアクセスし、戸籍情報の作成又は変更を行う。かかる戸籍情報の作成作業又は変更作業は、誤字、脱字、誤記等が生じないように注意して的確に行う必要がある。
【発明の概要】
【発明が解決しようとする課題】
【０００３】
しかしながら、殆どの公的機関では、職員が各種届書の記述内容を見ながら、戸籍情報の作成作業や変更作業等のデータ入力作業を手作業（キーボード操作）で行うため、届書の記述内容の見間違えやタイプミスによって、誤った内容で戸籍データベース内のデータを更新してしまうおそれがある。
【０００４】
本発明は、戸籍データベースのデータを正確に更新するための新しい枠組みを提供することを目的とする。
【課題を解決するための手段】
【０００５】
本発明の戸籍情報システムは、個人の戸籍情報及び個人の除籍情報を前記個人を識別する情報に対応付けて記録する戸籍データベースと、入力された個人を識別する情報に対応する戸籍情報又は除籍情報を前記戸籍データベース内で検索し、検索により見つかった戸籍情報又は除籍情報を、選択可能に表示されるように出力する検索手段と、前記出力された戸籍情報又は除籍情報のうち選択された戸籍情報又は除籍情報を、届書入力画面上に表示されるように出力する入力画面出力手段と、前記届書入力画面に表示されたデータに基づいて、前記戸籍データベースのデータを更新するデータ更新手段と、を備えることを特徴とする。
【０００６】
本発明の実施態様では、前記除籍情報は、除籍情報であることを示す除籍識別記号及び除籍日を含み、前記検索手段は、前記検索により見つかった除籍情報について、除籍日の順に並び替えて出力する。
【０００７】
本発明の別の実施態様では、前記検索手段は、前記検索により見つかった除籍情報のうち、死亡に基づく除籍情報を出力しないように構成されてもよい。
【０００８】
本発明のまた別の実施態様では、前記入力画面出力手段は、前記選択された戸籍情報又は除籍情報を、届書入力画面上に戸籍情報と除籍情報とが識別可能に表示されるように出力する。
【０００９】
本発明のまた別の実施態様では、前記入力画面出力手段は、前記選択された戸籍情報を編集不可能な状態で表示されるように出力し、前記選択された除籍情報を編集可能な状態で表示されるように出力する。
【００１０】
本発明のまた別の実施態様では、前記検索手段は、検索対象として、前記戸籍データベースに含まれる戸籍情報又は除籍情報のうちの一方又は両方の指定を受け付け、前記入力された個人を識別する情報に対応する戸籍情報又は除籍情報を前記指定を受け付けた検索対象内で検索する。
【００１１】
本発明の戸籍情報更新方法は、入力された個人を識別する情報に対応する戸籍情報又は除籍情報を、個人の戸籍情報及び個人の除籍情報を前記個人を識別する情報に対応付けて記録する戸籍データベース内で検索し、検索により見つかった戸籍情報又は除籍情報を、選択可能に表示されるように出力するステップと、前記出力された戸籍情報又は除籍情報のうち選択された戸籍情報又は除籍情報を、届書入力画面上に表示されるように出力するステップと、前記届書入力画面に表示されたデータに基づいて、前記戸籍データベースのデータを更新するステップと、を含むことを特徴とする。
【００１２】
なお、本発明において、手段とは、単に物理的手段を意味するものではなく、その手段が有する機能をソフトウェアによって実現する場合も含む。また、１つの手段や装置が有する機能が２つ以上の物理的手段や装置により実現されても、２つ以上の手段や装置の機能が１つの物理的手段や装置により実現されても良い。
【発明の効果】
【００１３】
本発明によれば、婚姻届などの戸籍データベースのデータの更新が必要になる申請に用いる届書を受理した場合、該届書に記載されている個人を識別する情報に対応する戸籍情報又は除籍情報を戸籍データベース内で検索し、検索結果から１つの戸籍情報又は除籍情報を選択するだけで、該選択した戸籍情報又は除籍情報に対応するデータが届書入力画面上に表示され、該表示されたデータを用いて戸籍データベースのデータを更新することができる。これにより、戸籍データベースのデータ更新作業を行う作業者は、キーボードによるデータの入力作業の一部を省略することができるので、届書の記述内容の見間違えやタイプミスによって、誤った内容で戸籍データベース内のデータを更新してしまうリスクを軽減することができる。
【図面の簡単な説明】
【００１４】
【図１】第１実施形態の戸籍情報システムの全体構成を示す図である。
【図２】端末のハードウェア構成を示す図である。
【図３】データサーバの機能構成を示す図である。
【図４】戸籍データベースのデータ構造の一例を示す図。
【図５】データサーバによる戸籍データベースにおけるデータ更新処理の流れを示すフローチャートである。
【図６】検索画面の一例を示す図である。
【図７】データサーバが出力する検索結果の一例を示す図である。
【図８】届書入力画面のデータ表示領域に対応するデータが表示された状態の一例を示す図である。
【図９】データサーバが出力する検索結果の一例を示す図である。
【図１０】届書入力画面のデータ表示領域に対応するデータが表示された状態の一例を示す図である。
【図１１】データサーバが出力する検索結果の一例を示す図である。
【発明を実施するための形態】
【００１５】
以下、本発明の実施形態として、区役所の窓口で婚姻届が提出された場合において、戸籍情報の作成又は変更を行うための枠組みについて、図面を参照して説明する。
【００１６】
図１は、第１実施形態の戸籍情報システム１の全体構成を示す。
【００１７】
戸籍情報システム１は、区役所の庁舎内に構築されたネットワーク１００を介して通信可能に接続された複数の端末１０１ａ〜１０１ｃとデータサーバ１０３とを含んで構成される。なお、第１実施形態では、ネットワーク１００は、例えばＬＡＮである。また、図示の例では、端末１０１ａ〜１０１ｃを３つ示しているが、端末の設置数には特に制限はない。
【００１８】
端末１０１ａ〜１０１ｃは、戸籍情報の作成又は変更のためのデータ入力作業を行う作業者（ここでは、区役所の職員など）によって使用される情報処理装置（例えば、パーソナルコンピュータ）であり、データを入力するための画面を表示する機能や、入力されたデータをデータサーバ１０３へ送信する機能や、データサーバ１００から受信した情報を表示する機能等を備える。
【００１９】
データサーバ１０３は、端末１０１ａ〜１０１ｃからの指示に応じて、所定のデータベース内でデータを検索して検索結果を出力したり、データベース内のデータを更新する（例えば、戸籍情報の作成又は変更を行う）機能を備える。
【００２０】
図２は、端末１０１ａのハードウェア構成を示す。
【００２１】
端末１０１ａ〜１０１ｃは、制御装置２０１、入力装置２０２、及び表示装置２０３を備える。
【００２２】
制御装置２０１は、情報処理装置（例えば、パーソナルコンピュータ）の本体であり、ＣＰＵ、ハードディスク、ＲＡＭ、ＲＯＭ、及び通信装置等の構成要素を備える。
【００２３】
入力装置２０１は、例えば、キーボード及びマウス等であり、作業者によるデータ入力作業の際に操作される。
【００２４】
表示装置２０３は、例えば、液晶ディスプレイ等であり、データ入力作業に必要な情報を表示する。
【００２５】
なお、端末１０１ｂ，１０１ｃも、端末１０１ａと同様の構成要素を備えるものとする。
【００２６】
図３は、データサーバ１０３の機能構成を示す。
【００２７】
データサーバ１０３は、戸籍データベース３０１、住民票データベース３０２、届書入力画面データベース３０３、検索手段３０４、入力画面出力手段３０５、及びデータ更新手段３０６を備える。なお、戸籍データベース３０１、住民票データベース３０２、及び届書入力画面データベース３０３は、ハードディスク等の記憶装置を用いて機能的に実現される。また、検索手段３０４、入力画面出力手段３０５、及びデータ更新手段３０６は、ＣＰＵがハードディスク等の記憶装置に格納されたプログラムをＲＡＭ上に読み出して実行することにより機能的に実現される。以下、各機能手段について説明する。
【００２８】
戸籍データベース３０１は、図４に示すように、筆頭者氏名等を含む戸籍識別情報に関連付けられたそれぞれの戸の戸籍情報を含んで構成される。また、各戸の戸籍情報は、個人の戸籍情報（以下「個別戸籍情報」という。）を１以上含む。また、各戸の戸籍情報は、さらに個人の除籍情報（以下「個別除籍情報」という。）を１以上含む場合がある。
【００２９】
戸籍データベース３０１の戸籍識別情報の欄には、各戸の戸籍情報を一意に特定するための情報として、筆頭者氏名を示す情報のほかに、連番や任意の英数字の組み合わせからなる戸籍識別番号や、筆頭者本籍、及び戸籍区分を示す情報が格納される。なお、戸籍区分の欄には、戸籍を構成する全ての人が該戸籍から除籍されている場合に、そのことを示す情報（例えば、"除籍"の文字列）が格納される。
【００３０】
戸籍データベース３０１の個別戸籍情報及び個別除籍情報の欄には、連番や任意の英数字の組み合わせからなる個人識別番号や、氏、名、及び生年月日等情報が個人を識別する情報として格納されるとともに、本籍、身分事項、除籍区分、及び除籍日を示す情報がそれぞれ格納される。なお、第１実施形態では、身分事項の欄には、除籍の原因を示す情報（例えば、"離婚"、"死亡"、"婚姻"等の文字列）が格納され、除籍区分の欄には、除籍された人の場合に、除籍されていることを示す除籍識別記号（例えば、"除籍"等の文字列）が格納され、除籍日の欄には、除籍された日付を示す情報が格納される。
【００３１】
検索手段３０４は、例えば、端末１０１ａ〜１０１ｃを介して作業者から入力された個人を識別する情報（例えば、氏名など）に対応する戸籍情報又は／及び除籍情報を戸籍データベース３０１内で検索し、検索により見つかった個別戸籍情報又は／及び個別除籍情報を、該検索により見つかった個別戸籍情報又は／及び個別除籍情報のうちの１つが選択可能に表示されるように出力する（検索指示の送信元である端末へ送信する）。
【００３２】
入力画面出力手段３０５は、例えば、検索手段３０４から出力された個別戸籍情報又は／及び個別除籍情報のうち、端末１０１ａ〜１０１ｃを介して作業者によって選択された１つの個別戸籍情報又は個別除籍情報に対応するデータを、戸籍データベース３０１を更新するのに用いるデータを入力するための画面（例えば、図９に示す届書入力画面９０１）上に配置された各データ表示領域に適宜表示されるように出力する。
【００３３】
データ更新手段３０６は、例えば、届書入力画面９０１の各データ表示領域に表示されたデータに基づいて、戸籍データベース３０１内のデータを更新する（例えば、個別戸籍情報又は個別除籍情報を、必要に応じて作成し又は変更する）。
【００３４】
図６は、データサーバ１０３による戸籍データベース３０１におけるデータ更新処理の流れを示すフローチャートである。以下、図６を参照して、かかる処理の内容を説明する。なお、本明細書において、フローチャート等に示す各工程（符号が付与されていない部分的な工程を含む）は処理内容に矛盾を生じない範囲で任意に順番を変更して又は並列に実行することができる。
【００３５】
第１実施形態では、ある区役所の窓口で婚姻届が提出された場合において、作業者である職員が端末１０１ａを操作してデータサーバ１０３へアクセスし、戸籍データベース３０１内のデータを更新する状況を想定して説明する。
【００３６】
まず、データサーバ１０３は、作業者が操作する端末１０１ａからデータサーバ１０３へのアクセス要求及びログイン要求を受信すると、ログイン処理を実行し、作業者から所定のメニュー画面（図示省略）を介して届書の種類（ここでは、婚姻届）の指定を受け付ける。そして、データサーバ１０３は、図６に示すような、戸籍データベース３０１に対して実行する検索処理のパラメータを入力して送信するための画面（以下、単に「検索画面」と称する。）７０１の情報と、図８に示すような、作業者によって指定された届書の種類（ここでは、婚姻届）に対応する届書入力画面９０１の情報とを端末１０１ａへ送信する（Ｓ６０１）。これにより、端末１０１ａの液晶ディスプレイには、例えばウェブブラウザを介して検索画面７０１及び届書入力画面９０１が表示される。
【００３７】
次に、作業者が端末１０１ａを操作し、検索画面７０１において、検索対象選択欄７０３に表示されている検索対象となる情報の選択肢から、１以上の選択肢を指定し、検索氏名入力欄７０４、本籍地入力欄７０５、生年月日入力欄７０６、除籍日入力欄７０７、及び識別番号入力欄７０８のうち１以上の入力欄に、検索キーワードととなる個人を識別する情報を入力し、検索実行ボタン７０９をクリックする。これにより、データサーバ１０３へ、検索パラメータとして、１以上の入力欄７０４〜７０８に入力されたデータ及び検索対象選択欄７０３において選択された検索対象を示すデータが送信され、該検索パラメータを受信したデータサーバ１０３は、検索リクエストを受信したものと判断する（Ｓ６０２）。
【００３８】
そして、データサーバ１０３の検索手段３０４は、端末１０１ａから受信した検索パラメータに基づいて、検索対象として、戸籍データベース３０１に含まれる個別戸籍情報と、戸籍データベース３０１に含まれる個別除籍情報の一方又は両方の指定を受け付け、検索キーワードとして入力された個人を識別する情報に対応する個別戸籍情報又は／及び個別除籍情報を前記指定を受け付けた検索対象内で検索する（Ｓ６０３）。なお、検索キーワードが複数種類指定されている場合は、それらの全てに対応する情報を検索する（いわゆる、ＡＮＤ検索を行う）ものとする。
【００３９】
検索手段３０４は、指定を受け付けた検索対象内で、検索キーワードとして入力された個人を識別する情報に対応する個別戸籍情報又は／及び個別除籍情報を検索し、検索結果として得られた情報のなかに、死亡に基づく個別除籍情報が含まれる場合（Ｓ６０４，Ｓ６０５の判断がＹｅｓの場合）、該死亡に基づく個別戸籍情報を検索結果から除外する（Ｓ６０６）。例えば、戸籍データベース３０１（図４）において、身分事項の欄に"死亡"と入力されている場合は、該当する個別除籍情報は死亡に基づくものであると判断することができる。
【００４０】
次に、検索手段３０４は、検索結果中に２つ以上の個別除籍情報が存在する場合、該個別除籍情報を除籍日を基準にして並べ替える（Ｓ６０８）。複数の除籍情報を除籍日順に並べ替えておくことにより、作業者に取捨選択を容易に行わせることが可能となる。
【００４１】
検索手段３０４は、検索結果中に個別除籍情報が含まれていない場合（Ｓ６０４の判断がＮｏの場合）、死亡に基づく除籍情報を除外した後、検索結果中に２つ以上の個別除籍情報が存在しない場合（Ｓ６０７の判断がＮｏの場合）、又は個別除籍情報を除籍日順に並べ替えた後（Ｓ６０８の後）、端末１０１ａから受信した検索リクエストに対する応答として、Ｓ６０３の検索により見つかった個別戸籍情報又は／及び個別除籍情報（Ｓ６０６で除外された個別除籍情報を除く）について、１つの戸籍情報又は除籍情報が選択可能に表示されるように、出力する（Ｓ６０９）。
【００４２】
例えば、第１実施形態では、検索手段３０４は、図７に示すような、検索結果一覧画面の情報を端末１０１ａへ送信する。この画面上では、１つの個別戸籍情報又は個別除籍情報が選択可能である（例えば、行単位で選択［クリックなど］できる）ものとする。また、検索結果一覧に同一人物の情報が複数表示されている場合、いずれか１つの情報のみ選択できるものとする。
【００４３】
次に、作業者が端末１０１ａを操作し、ウェブブラウザ上に表示された検索結果一覧から１つの情報を選択（例えば、クリックなど）すると、選択された情報を示すパラメータがデータサーバ１０３へ送信され、該パラメータを受信したデータサーバ１０３は、届書入力画面９０１へのデータの表示リクエストを受信したものと判断する（Ｓ６１０の判断がＹｅｓ）。
【００４４】
データサーバ１０３の入力画面出力手段３０５は、検索手段３０４によって出力された検索結果（個別戸籍情報又は／及び個別除籍情報）のうち選択された１つの個別戸籍情報又は個別除籍情報に対応するデータを、図８に示す婚姻届に対応する届書入力画面９０１のデータ表示領域内にそれぞれ対応するデータが表示されるように出力する（例えば、端末１０１ａへ送信する。Ｓ６１１）。これにより、端末１０１ａの液晶ディスプレイ等には、ウェブブラウザ上に、図８に示す婚姻届に対応する届書入力画面９０１が表示される。
【００４５】
第１実施形態では、婚姻届に対応する届書入力画面９０１における氏名、生年月日、及び本籍のそれぞれに対応する欄が、データサーバ１０３によってデータが予め埋め込まれるデータ表示領域であり、父母の氏名・父、父母の氏名・母、及び住所にそれぞれ対応する欄については、データサーバ１０３によるデータの埋め込みが行われず、必要に応じて作業者がデータ入力を行う入力欄であるものとする。
【００４６】
また、入力画面出力手段３０５は、作業者によって選択された１つの戸籍情報又は除籍情報に対応するデータを、戸籍情報と除籍情報とが識別可能に届書入力画面９０１上の対応するデータ表示領域に表示されるように出力するとともに、戸籍情報に対応するデータについては編集不可能な状態で、除籍情報に対応するデータについては編集可能な状態で表示届書入力画面上に表示されるように出力する。
【００４７】
例えば、第１実施形態では、戸籍情報に対応するデータを表示する場合、各データ表示領域を第１の背景色（例えば、灰色など）で表示させ、除籍情報に対応するデータを表示する場合、各データ表示領域を第２の背景色（例えば、白色など）で表示させる。
【００４８】
また例えば、戸籍情報に対応するデータを表示する場合、各データ表示領域内にそれぞれ対応するデータを第１の文字色（例えば、赤色など）で表示させ、除籍情報に対応するデータを表示する場合、各データ表示領域内にそれぞれ対応するデータを第２の文字色（例えば、黒色など）で表示させる。
【００４９】
そして、データサーバ１０３は、戸籍データベース３０１のデータ更新リクエストを受信したかどうかを判断する（Ｓ６１２）。例えば、作業者が端末１０１ａを操作して所定のデータ更新ボタンをクリックするなどした場合に、該更新リクエストが送信され、データサーバ１０３は、戸籍データベース３０１のデータ更新リクエストを受信する。
【００５０】
データサーバ１０３は、戸籍データベース３０１のデータ更新リクエストを受信していない場合（Ｓ６１２の判断がＮｏ）、Ｓ６０２へ移行してＳ６１２までの処理を繰り返し、「夫になる人」又は「妻になる人」に関する検索及びデータ表示等の処理を実行する。
【００５１】
そして、端末１０１ａの液晶ディスプレイに、図１０に示すように、「夫になる人」と「妻になる人」のそれぞれに関するデータが予め埋め込まれた届書入力画面９０１が表示され、作業者によるデータ編集作業が完了した後、作業者が端末１０１ａを操作し、戸籍データベース３０１内のデータ更新リクエストを送信すると、データサーバ１０３は、該データ更新リクエストを受信し（Ｓ６１２の判断がＹｅｓ）、届書入力画面９０１の各データ表示領域に表示されたデータ、並びに父母の氏名・父、父母の氏名 母、及び住所に関する入力欄に入力されたデータに基づいて、戸籍データベース３０１のデータを更新する、すなわち、戸籍データベース３０１において、必要に応じて個別戸籍情報又は個別除籍情報を作成し又は変更する（Ｓ６１３）。
【００５２】
以下、上記データ更新処理の具体例として、「日電  竹夫」という氏名の男性と「日電  梅子」という氏名の女性に関する婚姻届に基づいて、作業者が端末１０１ａを操作して戸籍データベース３０１のデータを更新する例について説明する。
【００５３】
まず、作業者が、受理された婚姻届に基づいて、個人を識別する情報として夫になる人の氏名「日電  竹夫」を検索画面７０１（図６）の検索氏名入力欄７０４に入力し、検索対象選択欄７０３から「戸籍情報」と「除籍情報」の両方を選択したうえで、検索実行ボタン７０９をクリックすると、これら検索パラメータがデータサーバ１０３へ送信され、データサーバ１０３の検索手段３０４は、「日電  竹夫」という氏名に対応する個別戸籍情報、個別除籍情報を、戸籍データベース３０１（図４）に含まれる個別戸籍情報及び個別除籍情報から検索する。
【００５４】
具体的には、「日電  竹夫」という氏名を戸籍データベース３０１（図４）に含まれる個別戸籍情報及び個別除籍情報内で検索すると、「日電  竹夫」本人を筆頭者とする戸籍に属する当該本人の個別戸籍情報と、「日電  秀樹」を筆頭者とする戸籍に属する「日電  竹夫」の個別除籍情報とが検索結果として見付かる。
【００５５】
また、「日電  竹夫」という氏名の検索結果には、死亡に基づく個別除籍情報が含まれていないので、検索手段３０４は、個別除籍情報に関して検索結果からの除外処理（Ｓ６０６）を行わず、また検索結果に含まれている個別除籍情報が１つなので、除籍日に基づく並び替え処理（Ｓ６０８）も行わず、検索により見つかったすべての情報について、１つの個別戸籍情報又は個別除籍情報が選択可能に表示されるように、端末１０１ａへ送信する。これにより、端末１０１ａ側では、図７に示すように、個別戸籍情報と個別除籍情報のうちのいずれか１つを選択することができる状態で、検索結果一覧が表示される。
【００５６】
そして、作業者が、表示された検索結果一覧から、例えば個人識別番号「Ａ００１」に関連する個別戸籍情報の行をクリックすると、届書入力画面９０１の表示リクエストがデータサーバ１０３へ送信され、データサーバ１０３の入力画面出力手段３０５は、選択された個別戸籍情報に対応するデータを、婚姻届に対応する届書入力画面９０１（図８）の「夫になる人」に関する各データ表示領域にそれぞれ対応するデータが表示されるように、端末１０１ａへ送信する。
【００５７】
また、このように個別戸籍情報に基づいてデータ表示を行う際には、入力画面出力手段３０５は、データ表示領域が第１の背景色（灰色）で表示され、該データ表示領域内のデータが第１の文字色（赤色）で表示され、及び該データ表示領域のデータが編集不可能な状態で表示されるように、データを送信する。
【００５８】
これにより、端末１０１ａ側では、図８に示すように、データ表示領域中に「夫になる人」に関するデータが編集不可能な状態で表示される。一方、父母の氏名・父、父母の氏名 母、及び住所のそれぞれに対応する入力欄は、作業者がデータ入力を行うための入力欄であり、第２の背景色（白色）で示されており、例えば、婚姻届の記載に基づいてデータを入力することができる。
【００５９】
データサーバ１０３は、データ表示領域への「夫になる人」に関するデータ表示が完了すると、戸籍データベース３０１のデータ更新リクエストを受信するか（Ｓ６１２の判断がＹｅｓ）、又は検索リクエストを受信する（Ｓ６０２の判断がＹｅｓ）まで待機し、「妻になる人」に関する検索リクエストを受信すると、Ｓ６０３〜Ｓ６１２の処理を繰り返す。これにより、端末１０１ａ側には、まず、検索画面７０１（図６）が再度表示される。
【００６０】
そして、作業者が、受理された婚姻届に基づいて、個人を識別する情報として妻になる人の氏名「日電  梅子」を検索画面７０１（図６）の検索氏名入力欄７０４に入力し、検索対象選択欄７０３から「戸籍情報」と「除籍情報」の両方を選択したうえで、検索実行ボタン７０９をクリックすると、これら検索パラメータがデータサーバ１０３へ送信され、データサーバ１０３の検索手段３０４は、受信したパラメータに基づいて検索処理を実行する。
【００６１】
具体的には、「日電  梅子」という氏名を戸籍データベース３０１（図４）に含まれる個別戸籍情報及び個別除籍情報内で検索すると、「日電  竹夫」を筆頭者とする戸籍に属する「日電  梅子」の個別除籍情報が検索結果として得られる。
【００６２】
また、「日電  梅子」という氏名の検索結果には、個別除籍情報が含まれているが、除籍の原因が死亡ではないため、データサーバ１０３の検索手段３０４は、検索結果からの個別戸籍情報の除外処理（Ｓ６０６）は行わない。また個別除籍情報が一件であるため、並べ替え処理も行わない（Ｓ６０７の判断がＮｏ）。この結果、検索手段３０４は、図９に示すように、検索により見付かった個別戸籍情報を、該個別戸籍情報が選択可能に表示されるように、端末１０１ａへ送信する（Ｓ６０９）。これにより、端末１０１ａの液晶ディスプレイには、図９に示すように、「日電  梅子」に関する検索結果として、個別戸籍情報が選択可能な状態で表示される。
【００６３】
そして、作業者が、表示された個人識別番号「Ａ００２」に関連する行をクリックすると、届書入力画面９０１の表示リクエストがデータサーバ１０３へ送信され、データサーバ１０３の入力画面出力手段３０５は、選択された情報に対応するデータを、婚姻届に対応する届書入力画面９０１（図８）の「妻になる人」に関する各データ表示領域にそれぞれ対応するデータが表示されるように、端末１０１ａへ送信する（Ｓ６１１）。
【００６４】
これにより、端末１０１ａ側では、図１０に示すように、データ表示領域中に「妻になる人」に関するデータが編集可能な状態で表示される。また、父母の氏名・父、父母の氏名 母、及び住所のそれぞれの入力欄は、「夫になる人」の場合と同様に、作業者がデータ入力を行うための入力欄であり、第２の背景色（白色）で示されており、例えば、婚姻届の記載に基づいてデータを入力することができる。
【００６５】
そして、作業者が端末１０１ａを操作し、例えばウェブブラウザ上に表示されたデータ更新ボタンをクリックするなどして、戸籍データベース３０１のデータ更新リクエストをデータサーバ１０３へ送信すると、データサーバ１０３のデータ更新手段３０６は、受信したデータ更新リクエストに基づいて、届書入力画面９０１（図１０）の各データ表示領域に表示されたデータ（編集後のデータを含む）に基づいて、戸籍データベース３０１のデータを更新する（Ｓ６１３）。
【００６６】
ここで、夫になる人「日電  竹夫」が引き続き筆頭者となるものとすると、「日電  竹夫」に関しては、図４に示すとおり、本人を筆頭者とする戸籍が既に存在するため、個別戸籍情報及び個別除籍情報の作成は行われない。
【００６７】
一方、妻になる人「日電  梅子」に関しては、この自治体（すなわち、データサーバ１０３の戸籍データベース３０１）には個別戸籍情報が存在しないため、婚姻を原因とする個別戸籍情報の個別除籍情報への変更は行われず、夫となる「日電  竹夫」を筆頭者とする戸籍内に「日電  梅子」に関する個別戸籍情報が新たに作成される。
【００６８】
このように、第１実施形態の戸籍情報システム１によれば、データサーバ１０３によって届書入力画面９０１の各データ表示領域に予めデータが埋め込まれることにより、作業者は、そのデータをそのまま用いて戸籍データベース３０１のデータを更新することができる。このため、作業者は、キーボードによるデータの入力作業が部分的に不要となり、届書の記述内容の見間違えやタイプミスによって、戸籍データベース３０１内のデータを誤った内容で更新してしまうリスクが極めて小さくなる。
【００６９】
以上、本発明の実施形態を説明したが、本発明は、上記実施形態に限定されることなく種々に変形して適用することが可能である。
【００７０】
［変形例］
例えば、第１実施形態では、検索結果一覧として表示される情報には、図７及び図９に示すように、「除籍区分」の欄が設けられているが、図１１に示すように、「除籍区分」の欄を設けなくてもよい。この場合、作業者は、表示された検索結果一覧において、「除籍日」の欄に日付が表示されていることを条件に、該日付を含む情報が個別除籍情報であると判断することができる。なお、「除籍区分」の欄を設け、「除籍日」の欄を設けないようにしてもよい。
【００７１】
また例えば、第１実施形態では、端末１０１ａは、ウェブブラウザを介してデータサーバ１０３とデータ通信を行っているが、ウェブブラウザ以外の専用のソフトウェアを用いてもよい。この場合、検索結果からの個別除籍情報の除外処理（図５のＳ６０６）や、個別除籍情報の並べ替え処理（図５のＳ６０８）については、端末１０１ａにインストールされた専用のソフトウェアによって実行してもよい。
【００７２】
また例えば、第１実施形態では、データサーバ１０３は、ログイン処理が完了した場合に、届書入力画面の情報をログイン処理の要求元である端末へ送信しているが、届書入力画面上へのデータ表示リクエストを受信した場合（図４のＳ６１０の判断がＹｅｓの場合）に、届書入力画面の情報とデータ表示領域へ表示させるデータとを送信するようにしてもよい。
【００７３】
また例えば、第１実施形態では、検索画面の情報や届書入力画面の情報はデータサーバ１０３から端末１０１ａ〜１０１ｃへ送信されるように構成されているが、各端末１０１ａ〜１０１ｃにおいて、所定の記憶手段を設けるなどして、予め検索画面の情報や届書入力画面の情報を有するように構成してもよい。
【符号の説明】
【００７４】
１…戸籍情報システム、１０１ａ〜１０１ｃ…端末、１０３…データサーバ、３０１…戸籍データベース、３０４…検索手段、３０５…入力画面出力手段、３０６…データ更新手段、９０１…届書入力画面
【図１】
0005455154.tif 000002
【図２】
0005455154.tif 000003
【図３】
0005455154.tif 000004
【図４】
0005455154.tif 000005
【図５】
0005455154.tif 000006
【図６】
0005455154.tif 000007
【図７】
0005455154.tif 000008
【図９】
0005455154.tif 000009
【図１１】
0005455154.tif 000010
【図８】
0005455154.tif 000011
【図１０】
0005455154.tif 000012